(57)【要約】  無線通信ネットワークに係るハンドオーバ制御システムを提供する方法及び装置の実施例が、ここで一般に説明される。他の実施例が記載及び請求されるかもしれない。
2009545271.tif 000002
【特許請求の範囲】
【請求項１】
各移行イベント中に無線通信ネットワークに係る複数のノードの２つのノードの間を移行する加入者ステーションの１以上の移行イベントをある期間内にモニタするステップと、
前記期間内に所定数の移行イベントを検出することに応答して、前記加入者ステーションにおいて前記１以上の移行イベントに係る移行イベント情報を有するローミング管理リクエストを生成するステップと、
を有する方法。
【請求項２】
前記ローミング管理リクエストを生成するステップは、前記１以上の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することを含む、請求項１記載の方法。
【請求項３】
前記移行イベント情報を生成するため、前記１以上の移行イベントのそれぞれに係る情報を記録するステップをさらに有する、請求項１記載の方法。
【請求項４】
前記ローミング管理リクエストを生成する前、前記加入者ステーションのローミングヒステリシスを増大させるステップをさらに有する、請求項１記載の方法。
【請求項５】
前記加入者ステーションと通信中の前記複数のノードのうちのあるノードに前記ローミング管理リクエストを送信するステップをさらに有し、
前記ノードは、ＷＬＡＮに係るアクセスポイント、ＷＭＡＮに係る基地局、ＷＷＡＮに係る基地局又は無線メッシュネットワークに係る他の加入者ステーションの少なくとも１つを有する、請求項１記載の方法。
【請求項６】
前記加入者ステーションと通信中の前記複数のノードのうちのあるノードから、前記加入者ステーションのハンドオーバを低減するための前記加入者ステーションのコンフィギュレーション情報を有するローミング管理レスポンスを受信するステップをさらに有する、請求項１記載の方法。
【請求項７】
前記加入者ステーションと通信中のノードからのローミング管理レスポンスのコンフィギュレーション情報に基づき前記加入者ステーションのハンドオーバを低減するための前記加入者ステーションの１以上のコンフィギュレーションを調整するステップをさらに有し、
前記コンフィギュレーション情報は、送信電力、ローミングヒステリシス、受信感度、クリアチャネル評価又はローミング候補の少なくとも１つに係る情報を有する、請求項１記載の方法。
【請求項８】
アクセス時にマシーンに、
各移行イベント中に無線通信ネットワークに係る複数のノードの２つのノードの間を移行する加入者ステーションの１以上の移行イベントをある期間内にモニタするステップと、
前記期間内に所定数の移行イベントを検出することに応答して、前記加入者ステーションにおいて前記１以上の移行イベントに係る移行イベント情報を有するローミング管理リクエストを生成するステップと、
を実行させるコンテンツを含む製造物。
【請求項９】
前記コンテンツは、アクセス時に前記マシーンに、前記１以上の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成することによって、前記ローミング管理リクエストを生成させる、請求項８記載の製造物。
【請求項１０】
前記コンテンツは、アクセス時に前記マシーンに、前記ローミング管理リクエストを生成する前、前記加入者ステーションのローミングヒステリシスを増大させる、請求項８記載の製造物。
【請求項１１】
前記コンテンツは、アクセス時に前記マシーンに、前記加入者ステーションと通信中の前記複数のノードのうちのあるノードに前記ローミング管理リクエストを送信させ、
前記ノードは、ＷＬＡＮに係るアクセスポイント、ＷＭＡＮに係る基地局、ＷＷＡＮに係る基地局又は無線メッシュネットワークに係る他の加入者ステーションの少なくとも１つを有する、請求項８記載の製造物。
【請求項１２】
前記コンテンツは、アクセス時に前記マシーンに、前記加入者ステーションと通信中の前記複数のノードのうちのあるノードから、前記加入者ステーションのハンドオーバを低減するための前記加入者ステーションのコンフィギュレーション情報を有するローミング管理レスポンスを受信させる、請求項８記載の製造物。
【請求項１３】
前記コンテンツは、アクセス時に前記マシーンに、前記加入者ステーションと通信中のノードからのローミング管理レスポンスのコンフィギュレーション情報に基づき前記加入者ステーションのハンドオーバを低減するための前記加入者ステーションの１以上のコンフィギュレーションを調整させ、
前記コンフィギュレーション情報は、送信電力、ローミングヒステリシス、受信感度、クリアチャネル評価又はローミング候補の少なくとも１つに係る情報を有する、請求項８記載の製造物。
【請求項１４】
各移行イベント中に無線通信ネットワークに係る複数のノードの２つのノードの間を移行する加入者ステーションの１以上の移行イベントをある期間内にモニタする移行モニタと、
前記移行モニタに動作接続され、前記期間内に所定数の移行イベントを検出することに応答して、前記加入者ステーションにおいて前記１以上の移行イベントに係る移行イベント情報を有するローミング管理リクエストを生成するリクエスト生成手段と、
を有する装置。
【請求項１５】
前記リクエスト生成手段は、前記１以上の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成するよう構成される、請求項１４記載の装置。
【請求項１６】
前記加入者ステーションと通信中の前記複数のノードのうちのあるノードに前記ローミング管理リクエストを送信するネットワークインタフェース装置をさらに有し、
前記ノードは、ＷＬＡＮに係るアクセスポイント、ＷＭＡＮに係る基地局、ＷＷＡＮに係る基地局又は無線メッシュネットワークに係る他の加入者ステーションの少なくとも１つを有する、請求項１４記載の装置。
【請求項１７】
前記加入者ステーションと通信中の前記複数のノードのうちのあるノードから、前記加入者ステーションのハンドオーバを低減するための前記加入者ステーションのコンフィギュレーション情報を有するローミング管理レスポンスを受信するネットワークインタフェース装置をさらに有する、請求項１４記載の装置。
【請求項１８】
前記リクエスト生成手段が前記ローミング管理リクエストを生成する前に、前記加入者ステーションのローミングヒストリシスを増大させるコンフィギュレーション調整手段をさらに有する、請求項１４記載の装置。
【請求項１９】
前記加入者ステーションと通信中のノードからのローミング管理レスポンスのコンフィギュレーション情報に基づき前記加入者ステーションのハンドオーバを低減するための前記加入者ステーションの１以上のコンフィギュレーションを調整するコンフィギュレーション調整手段をさらに有し、
前記コンフィギュレーション情報は、送信電力、ローミングヒステリシス、受信感度、クリアチャネル評価又はローミング候補の少なくとも１つに係る情報を有する、請求項１４記載の装置。
【請求項２０】
全方向性アンテナと、
前記アンテナに動作接続され、各移行イベント中に無線通信ネットワークに係る複数のノードの２つのノードの間を移行する加入者ステーションの１以上の移行イベントをある期間内にモニタし、前記期間内に所定数の移行イベントを検出することに応答して、前記加入者ステーションにおいて前記１以上の移行イベントに係る移行イベント情報を有するローミング管理リクエストを生成するプロセッサと、
を有するシステム。
【請求項２１】
前記プロセッサは、前記１以上の移行イベントのそれぞれの移行識別、移行タイムスタンプ、移行理由、ターゲット識別、ソース識別、受信信号強度インジケータ、受信信号対ノイズインジケータ、送信電力、ローミングヒステリシス、受信感度又はクリアチャネル評価の少なくとも１つに係る情報を有するリクエストを生成するよう構成される、請求項２０記載のシステム。
【請求項２２】
前記プロセッサは、前記ローミング管理リクエストを生成する前、前記加入者ステーションのローミングヒステリシスを増大させるよう構成される、請求項２０記載のシステム。
【請求項２３】
前記プロセッサは、前記加入者ステーションと通信中のノードからのローミング管理レスポンスのコンフィギュレーション情報に基づき前記加入者ステーションのハンドオーバを低減するための前記加入者ステーションの１以上のコンフィギュレーションを調整するよう構成され、
前記コンフィギュレーション情報は、送信電力、ローミングヒステリシス、受信感度、クリアチャネル評価又はローミング候補の少なくとも１つに係る情報を有する、請求項２０記載のシステム。
【請求項２４】
各移行イベント中に無線通信ネットワークに係る複数のノードの２つのノードの間を移行する加入者ステーションの１以上の移行イベントに係る移行イベント情報に基づき、無線通信ネットワークに係る複数のノードの１以上のノードを調整するステップと、
前記加入者ステーションの１以上のコンフィギュレーションを調整するため、前記加入者ステーションのコンフィギュレーション情報を生成するステップと、
を有する方法。
【請求項２５】
前記１以上のノードを調整するステップは、前記加入者ステーションと通信中のノードから頻繁なハンドオーバの回避リクエストを受信するよう構成されるノードコントローラにおいて前記１以上のノードを調整することを含む、請求項２４記載の方法。
【請求項２６】
前記１以上のノードを調整するステップは、前記加入者ステーションと通信中のノード又は前記加入者ステーションと通信中の前記ノードの近傍ノードの少なくとも１つの１以上のコンフィギュレーションを調整することを含み、
前記１以上のコンフィギュレーションは、送信電力、ローミングヒステリシス、受信感度又はクリアチャネル評価の少なくとも１つを有する、請求項２４記載の方法。
【請求項２７】
ローミング管理リクエストの受信に応答して、前記移行イベント情報を有する頻繁なハンドオーバの回避リクエストを生成するステップをさらに有する、請求項２４記載の方法。
【請求項２８】
前記加入者ステーション、前記加入者ステーションと通信中のノード又は前記加入者ステーションと通信中のノードの近傍ノードの少なくとも１つのコンフィギュレーション情報を有する頻繁なハンドオーバの回避リクエストを生成するステップをさらに有する、請求項２４記載の方法。
【請求項２９】
ローミング管理レスポンスを介し前記加入者ステーションに前記コンフィギュレーション情報を送信するステップをさらに有し、
前記コンフィギュレーション情報は、送信電力、ローミングヒステリシス、受信感度、クリアチャネル評価又はローミング候補の少なくとも１つに係る情報を有する、請求項２４記載の方法。
【請求項３０】
前記複数のノードは、ＷＬＡＮに係るアクセスポイント、ＷＭＡＮに係る基地局、ＷＷＡＮに係る基地局又は無線メッシュネットワークに係る他の加入者ステーションの少なくとも１つを有する、請求項２４記載の方法。
【発明の詳細な説明】
【技術分野】
【０００１】
本開示は、一般に無線通信システムに関し、より詳細には、無線通信ネットワークに係るハンドオーバ制御システムを提供する方法及び装置に関する。
【背景技術】
【０００２】
オフィス、家庭、学校などにおいて無線通信が普及するに従って、任意の時点及び／又は任意の場所における計算及び通信要求を満たすため、各種無線技術及びアプリケーションが並行して動作するかもしれない。例えば、各種及び／又は複数の無線通信ネットワークが、無線環境により大きな計算及び／若しくは通信能力、より大きな可動性並びに／又は最終的にシームレスなローミングを提供するため共存しているかもしれない。
【０００３】
特に、ＷＰＡＮ（Ｗｉｒｅｌｅｓｓ  Ｐｅｒｓｏｎａｌ  Ａｒｅａ  Ｎｅｔｗｏｒｋ）は、オフィスの作業スペースや家の中の部屋など比較的小さなスペース内における高速で短距離の接続を提供する。ＷＬＡＮ（Ｗｉｒｅｌｅｓｓ  Ｌｏｃａｌ  Ａｒｅａ  Ｎｅｔｗｏｒｋ）は、オフィスの建物、家、学校などの内部においてＷＰＡＮより広範な範囲を提供する。ＷＭＡＮ（Ｗｉｒｅｌｅｓｓ  Ｍｅｔｒｏｐｏｌｉｔａｎ  Ａｒｅａ  Ｎｅｔｗｏｒｋ）は、例えば、より広範な地理的エリアにおいて建物を互いに接続することによって、ＷＬＡＮより大きな距離をカバーするかもしれない。ＷＷＡＮ（Ｗｉｒｅｌｅｓｓ  Ｗｉｄｅ  Ａｒｅａ  Ｎｅｔｗｏｒｋ）は、このようなネットワークがセルラーインフラストラクチャにおいて広く配置されるため、最も広範な領域を提供するかもしれない。上記無線通信ネットワークのそれぞれは異なる利用をサポートするかもしれないが、これらのネットワークにおける共存は、任意の時点及び場所における接続性を備えたよりロウバストな環境を提供するかもしれない。
【図面の簡単な説明】
【０００４】
【図１】図１は、ここに開示される方法及び装置の一実施例による無線通信システムの概略図である。
【図２】図２は、一例となるＷＬＡＮのブロック図である。
【図３】図３は、図２の一例となるＷＬＡＮの一例となるハンドオーバ制御システムを示す。
【図４】図４は、図２の一例となるハンドオーバ制御システムの一例となる加入者ステーションが構成される一方法を示す。
【図５】図５は、図２の一例となるハンドオーバ制御システムの一例となるアクセスポイント（ＡＰ）が構成される一方法を示す。
【図６】図６は、図２の一例となるハンドオーバ制御システムの一例となるＡＰコントローラが構成される一方法を示す。
【図７】図７は、図２の一例となる加入者ステーションの一例となる無線通信プラットフォームを実現するのに利用される一例となるプロセッサシステムのブロック図である。
【発明を実施するための形態】
【０００５】
一般に、無線通信ネットワークに係るハンドオーバ制御システムを提供する方法及び装置がここに記載される。ここに記載される方法及び装置は、これに限定されるものでない。
【０００６】
図１を参照するに、一例となる無線通信システム１００は、１１０，１２０，１３０として全体表示される１以上の無線通信ネットワークを有する。特に、無線通信システム１００は、ＷＰＡＮ（Ｗｉｒｅｌｅｓｓ  Ｐｅｒｓｏｎａｌ  Ａｒｅａ  Ｎｅｔｗｏｒｋ）１１０、ＷＬＡＮ（Ｗｉｒｅｌｅｓｓ  Ｌｏｃａｌ  Ａｒｅａ  Ｎｅｔｗｏｒｋ）１２０及びＷＭＡＮ（Ｗｉｒｅｌｅｓｓ  Ｍｅｔｒｏｐｏｌｉｔａｉｎ  Ａｒｅａ  Ｎｅｔｗｏｒｋ）１３０を有する。図１は、３つの無線通信ネットワークを示しているが、無線通信システム１００は、より多くの又はより少ない無線通信ネットワークを有するかもしれない。例えば、無線通信システム１００は、さらなるＷＰＡＮ、ＷＬＡＮ及び／又はＷＭＡＮを有するかもしれない。ここに記載される方法及び装置は、これに限定されるものでない。
【０００７】
無線通信システム１００はまた、１４０，１４２，１４４，１４６，１４８として全体表示される１以上の加入者ステーションを有するかもしれない。例えば、加入者ステーション１４０，１４２，１４４，１４６，１４８は、デスクトップコンピュータ、ラップトッポコンピュータ、携帯コンピュータ、タブレットコンピュータ、携帯電話、ページャ、オーディオ及び／若しくはビデオプレーヤー（ＭＰ３プレーヤーやＤＶＤプレーヤーなど）、ゲーム装置、ビデオカメラ、デジタルカメラ、ナビゲーション装置（ＧＰＳ装置など）、無線周辺装置（プリンタ、スキャナ、ヘッドセット、キーボード、マウスなど）、医療装置（心拍数モニタ、血圧モニタなど）並びに／又は他の適切な固定、携帯若しくはモバイル電子装置などの無線電子装置を含むかもしれない。図１は５つの加入者ステーションしか示していないが、無線通信システム１００は、より多くの又はより少ない加入者ステーションを有してもよい。
【０００８】
各加入者ステーション１４０，１４２，１４４，１４６，１４８は、無線通信ネットワーク１１０，１２０及び／又は１３０の１以上により提供されるサービスにアクセスすることが許可されているかもしれない。加入者ステーション１４０，１４２，１４４，１４６，１４８は、ＳＳ（Ｓｐｒｅａｄ  Ｓｐｅｃｔｒｕｍ）変調（例えば、ＤＳ−ＣＤＭＡ（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ）及び／又はＦＨ−ＣＤＭＡ（Ｆｒｅｑｕｅｎｃｙ  Ｈｏｐｐｉｎｇ  Ｃｏｄｅ  Ｄｉｖｉｓｉｏｎ  Ｍｕｔｉｐｌｅ  Ａｃｃｅｓｓ）など）、ＴＤＭ（Ｔｉｍｅ−Ｄｉｖｉｓｉｏｎ  Ｍｕｌｔｉｐｌｅｘｉｎｇ）変調、ＦＤＭ（Ｆｒｅｑｕｅｎｃｙ−Ｄｉｖｉｓｉｏｎ  Ｍｕｌｔｉｐｌｅｘｉｎｇ）変調、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）変調（例えば、ＯＦＤＭＡ（Ｏｒｔｈｏｇｏｎａｌ  Ｆｒｅｑｕｅｎｃｙ−Ｄｉｖｉｓｉｏｎ  Ｍｕｔｉｐｌｅ  Ａｃｃｅｓｓ）など）、ＭＤＭ（Ｍｕｌｔｉ−Ｃａｒｒｉｅｒ  Ｍｏｄｕｌａｔｉｏｎ）、及び／又は他の適切な無線リンクを介して通信するための変調技術などの各種変調技術を利用可能である。例えば、ラップトップコンピュータ１４０は、ＷＰＡＮ１１０を実現するためＢｌｕｅｔｏｏｔｈ（登録商標）、ＵＷＢ（Ｕｌｔｒａ−Ｗｉｄｅ  Ｂａｎｄ）及び／又はＲＦＩＤ（Ｒａｄｉｏ  Ｆｒｅｑｕｅｎｃｙ  Ｉｄｅｎｔｉｆｉｃａｔｉｏｎ）などの極めて低い電力しか要求しない適切な無線通信プロトコルに従って動作するかもしれない。特に、ラップトップコンピュータ１４０は、ビデオカメラ１４２及び／又はプリンタ１４４など、ＷＰＡＮ１１０に関連付けされる各装置と無線リンクを介し通信するかもしれない。
【０００９】
他の例では、ラップトップコンピュータ１４０は、ＤＳＳＳ（Ｄｉｒｅｃｔ  Ｓｅｑｕｅｎｃｅ  Ｓｐｒｅａｄ  Ｓｐｅｃｔｒｕｍ）変調及び／又はＦＨＳＳ（Ｆｒｅｑｕｅｎｃｙ  Ｈｏｐｐｉｎｇ  Ｓｐｒｅａｄ  Ｓｐｅｃｔｒｕｍ）変調を利用して、ＷＬＡＮ１２０（ＩＥＥＥ（Ｉｎｓｔｉｔｕｔｅ  ｏｆ  Ｅｌｅｃｒｉｃａｌ  ａｎｄ  Ｅｌｅｃｔｒｏｎｉｃ  Ｅｎｇｉｎｅｅｒｓ）により開発された８０２．１１規格ファミリー及び／又はこれらの規格の変形及び進化など）を実現するかもしれない。例えば、ラップトップコンピュータ１４０は、プリンタ１４４、携帯コンピュータ１４６及び／又はスマートフォン１４８などのＷＬＡＮ１２０に関連付けされた各装置と無線リンクを介し通信するかもしれない。ラップトップコンピュータ１４０はまた、無線リンクを介しアクセスポイント（ＡＰ）１５０と通信するかもしれない。ＡＰ１５０は、以下で詳細に説明されるように、ルータ１５２と動作接続されるかもしれない。あるいは、ＡＰ１５０及びルータ１５２は、単一の装置（無線ルータなど）に統合されるかもしれない。
【００１０】
ラップトップコンピュータ１４０は、ＯＦＤＭ変調を利用して、無線周波数信号を複数の小さな信号に分割し、各周波数で同時に送信することによって、大量のデジタルデータを送信するかもしれない。特に、ラップトップコンピュータ１４０は、ＯＦＤＭ変調を利用してＷＭＡＮ１３０を実現するかもしれない。例えば、ラップトップコンピュータ１４０は、固定、携帯及び／又はモバイルブロードバンドワイヤレスアクセス（ＢＷＡ）ネットワーク（２００４年９月１８日に公表されたＩＥＥＥ規格８０２．１６−２００４、２００６年２月２８日に公表されたＩＥＥＥ規格８０２．１６ｅ、２００５年１２月１日に公表されたＩＥＥＥ規格８０２．１６ｆなど）が１６０，１６２，１６４として全体表示される基地局と無線リンクを介し通信するため、ＩＥＥＥにより開発された８０２．１６規格ファミリーに従って動作可能である。
【００１１】
上記具体例のいくつかはＩＥＥＥにより開発された規格に関して説明されたが、ここに開示される方法及び装置は、他の特別な利害グループ及び／又は規格開発組織（例えば、Ｗｉ−Ｆｉ（Ｗｉｒｅｌｅｓｓ  Ｆｉｄｅｌｉｔｙ）アライアンス、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）フォーラム、ＩｒＤＡ（Ｉｎｆｒａｒｅｄ  Ｄａｔａ  Ａｓｓｏｃｉａｔｉｏｎ）、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）など）により開発された多数の仕様及び／又は規格に容易に適用可能である。ここに記載される方法及び装置は、これに限定されるものでない。
【００１２】
ＷＬＡＮ１２０及びＷＭＡＮ１３０は、イーサネット（登録商標）、デジタル加入者線（ＤＳＬ）、電話線、同軸ケーブル及び／又は何れかの無線接続などとの接続を介し、インターネット、電話ネットワーク（ＰＳＴＮ（Ｐｕｂｌｉｃ  Ｓｗｉｔｃｈｅｄ  Ｔｅｌｅｐｈｏｎｅ  Ｎｅｔｗｏｒｋ）など）、ＬＡＮ（Ｌｏｃａｌ  Ａｒｅａ  Ｎｅｔｗｏｒｋ）、ケーブルネットワーク及び／又は他に無線ネットワークなどの一般的なパブリック若しくはプライベートネットワーク１７０に動作接続されるかもしれない。一例では、ＷＬＡＮ１２０は、ＡＰ１５０及び／又はルータ１５２を介し一般的なパブリック又はプライベートネットワーク１７０に動作接続される。他の例では、ＷＭＡＮ１３０は、基地局１６０，１６２及び／又は１６４を介し一般的なパブリック又はプライベートネットワーク１７０に動作接続されるかもしれない。
【００１３】
無線通信システム１００は、他の適切な無線通信ネットワークを有するかもしれない。例えば、無線通信システム１００は、ＷＷＡＮ（Ｗｉｒｅｌｅｓｓ  Ｗｉｄｅ  Ａｒｅａ  Ｎｅｔｗｏｒｋ）（図示せず）を有するかもしれない。ラップトップコンピュータ１４０は、ＷＷＡＮをサポートするため、他の無線通信プロトコルに従って動作するかもしれない。特に、これらの無線通信プロトコルは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）技術、ＷＣＤＭＡ（Ｗｉｄｅｂａｎｄ  Ｃｏｄｅ  Ｄｉｖｉｓｉｏｎ  Ｍｕｔｉｐｌｅ  Ａｃｃｅｓｓ  ）技術、ＧＰＲＳ（Ｇｅｎｅｒａｌ  Ｐａｃｋｅｔ  Ｒａｄｉｏ  Ｓｅｒｖｉｃｅｓ）技術、ＥＤＧＥ（Ｅｎｈａｎｃｅｄ  Ｄａｔａ  ＧＳＭ  Ｅｎｖｉｒｏｎｍｅｎｔ）技術、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）技術、３ＧＰＰ技術、これらの技術に基づく規格、これらの規格の変形及び進化、並びに／又は他の適切な無線通信規格など、アナログ、デジタル及び／又はデュアルモード通信システム技術に基づくかもしれない。図１は、ＷＰＡＮ、ＷＬＡＮ及びＷＭＡＮを示すが、無線通信システム１００は、ＷＰＡＮ、ＷＬＡＮ、ＷＭＡＮ及び／又はＷＷＡＮの他の組み合わせを含むかもしれない。ここに記載される方法及び装置は、これに限定されるものでない。
【００１４】
無線通信システム１００は、携帯電話システム、衛星システム、ＰＣＳ（Ｐｅｒｓｏｎａｌ  Ｃｏｍｍｕｎｉｃａｔｉｏｎ  Ｓｙｓｔｅｍ）、双方向無線システム、一方向ページャシステム、双方向ページャシステム、パーソナルコンピュータ（ＰＣ）システム、ＰＤＡ（Ｐｅｒｓｏｎａｌ  Ｄａｔａ  Ａｓｓｉｓｔａｎｔ）システム、ＰＣＡ（Ｐｅｒｓｏｎａｌ  Ｃｏｍｐｕｔｉｎｇ  Ａｃｃｅｓｓｏｒｙ）システム及び／又は他の何れか適切な通信システムを実現するため、ネットワークインタフェース装置及び周辺装置（ネットワークインタフェースカード（ＮＩＣ）など）、アクセスポイント（ＡＰ）、再配分ポイント、エンドポイント、ゲートウェイ、ブリッジ、ハブなどの他のＷＰＡＮ、ＷＬＡＮ、ＷＭＡＮ及び／又はＷＷＡＮ装置（図示せず）を有するかもしれない。特定の具体例が上述されたが、本開示のカバー範囲はこれに限定されるものでない。
【００１５】
図２の具体例では、無線通信ネットワーク２００は、加入者ステーション（ＳＴＡ）２１０と、２２０，２２２，２２４として全体表示される１以上のアクセスポイント（ＡＰ）とを有するかもしれない。無線通信ネットワーク２００はまた、ＡＰ２２０，２２２，２２４に動作接続されたＡＰコントローラ２３０を有するかもしれない。例えば、無線通信ネットワーク２００は、ＩＥＥＥ８０２．１１規格ファミリー及び／又はこれらの規格の変形及び進化（ＩＥＥＥ８０２．１１  Ｔａｓｋ  Ｇｒｏｕｐ  ｋ（Ｒａｄｉｏ  Ｒｅｓｏｕｒｃｅ  Ｍｅａｓｕｒｅｍｅｎｔ  Ｅｎｈａｎｃｅｍｅｎｔｓ）、ＩＥＥＥ８０２．１１  Ｔａｓｋ  Ｇｒｏｕｐ  ｒ（Ｆａｓｔ  Ｒｏａｍｉｎｇ／Ｆａｓｔ  ＢＳＳ  Ｔｒａｎｓｉｔｉｏｎ）、及び／又はＩＥＥＥ８０２．１１  Ｔａｓｋ  Ｇｒｏｕｐ  ｖ（Ｗｉｒｅｌｅｓｓ  Ｎｅｔｗｏｒｋ  Ｍａｎａｇｅｍｅｎｔ）など）に従って動作するＷＬＡＮであるかもしれない。図２はＷＬＡＮを示しているが、ここに記載される方法及び装置は、ＷＰＡＮ、ＷＭＡＮ、ＷＷＡＮ及び／又は無線メッシュネットワークなどの他のタイプの無線通信ネットワークに容易に適用可能である。一例では、無線通信ネットワーク２００は、ＡＰの代わりに１以上の基地局を有するＷＭＡＮ又はＷＷＡＮであるかもしれない。さらに、図２は単一の加入者ステーションを示しているが、無線通信ネットワーク２００は、さらなる加入者ステーションを有してもよい。無線通信ネットワーク２００はまた、図２が３つのＡＰを示しているが、さらなるＡＰを有してもよい。
【００１６】
一般に、加入者ステーション２１０は、図１に関して上述された無線電子装置の何れか又はそれらの何れかの組み合わせであるかもしれない。加入者ステーション２１０は、ネットワークインタフェース装置（ＮＩＤ）２４０、イベントレコーダ２５０、ハンドオーバモニタ２６０、コンフィギュレーション調整手段２７０、リクエスト生成手段２８０及びメモリ２８５を有するかもしれない。ＮＩＤ２４０、イベントレコーダ２５０、ハンドオーバモニタ２６０、コンフィギュレーション調整手段２７０、リクエスト生成手段２８０及びメモリ２８５は、バス２９０を介し互いに動作接続されるかもしれない。図２はバス２９０を介し互いに接続される加入者ステーション２１０の１以上のコンポーネントを示しているが、これらのコンポーネントは、他の適切な直接的又は間接的な接続（ポイント・ツー・ポイント接続又はポイント・ツー・マルチポイント接続など）を介し動作可能に互いに接続される。
【００１７】
ＮＩＤ２４０は、受信機２４２、送信機２４４及びアンテナ２４６を有するかもしれない。例えば、ＮＩＤ２４０は、ネットワークインタフェースカードであるかもしれない。加入者ステーション２１０は、受信機２４２及び送信機２４４を介しデータをそれぞれ受送信するかもしれない。アンテナ２４６は、ダイポールアンテナ、モノポールアンテナ、パッチアンテナ、ループアンテナ、マイクロストリップアンテナ及び／又は無線周波数（ＲＦ）信号の送信に適した他のタイプのアンテナなどの１以上の指向性又は全方向性アンテナを含むかもしれない。図２は単一のアンテナを示すが、加入者ステーション２１０はさらなるアンテナを含むかもしれない。例えば、加入者ステーション２１０は、ＭＩＭＯ（Ｍｕｌｔｉｐｌｅ−Ｉｎｐｕｔ−Ｍｕｌｔｉｐｌｅ−Ｏｕｔｐｕｔ）システムを実現するための複数のアンテナを含むかもしれない。
【００１８】
イベントレコーダ２５０は、加入者ステーション２１０の１以上の移行イベントに係る情報を記録するかもしれない。各移行イベント中、加入者ステーション２１０は、２つのノードの間で移行するかもしれない（例えば、１つのＡＰから他のＡＰへの加入者ステーション２１０のハンドオーバ又はハンドオフなど）。便宜上、“ハンドオーバ”及び“ハンドオフ”という用語は、あるＡＰから他のＡＰへの加入者ステーションとの接続の移行を表すため、本開示を通じて相互利用されるかもしれない。一例では、加入者ステーション２１０は、ＡＰ２２０のカバーエリアからＡＰ２２２のカバーエリアに移動するため、ＡＰ２２０からＡＰ２２２へ移行又はローミングするかもしれない。さらに又はその代わりに、ＡＰ２２０は、加入者ステーション２１０との接続がＡＰ２２２などのＡＰ２２０の近傍のＡＰに移行されるよう、容量をもって動作するかもしれない。このため、加入者ステーション２１０との接続のハンドオーバは、ＡＰ２２０とＡＰ２２２との間で行われるかもしれない。他の例では、加入者ステーション２１０は、ＡＰ２２０からＡＰ２２４に以降又はローミングするかもしれない。加入者ステーション２１０との接続のハンドオーバは、ＡＰ２２０とＡＰ２２４との間で行われるかもしれない。
【００１９】
ハンドオーバモニタ２６０は、加入者ステーション２１０の頻繁なハンドオーバを示す状態をモニタする（ハードハンドオーバ、ソフトハンドオーバ、ソフタハンドオーバなど）。一例では、ハンドオーバモニタ２６０は、ある期間内における加入者ステーション２１０の１以上の移行イベントをモニタするかもしれない。ハンドオーバモニタ２６０は、当該期間内に所定の回数の移行イベントが発生した場合（例えば、１分間に５回の移行イベントなど）、加入者ステーション２１０の頻繁なハンドオーバを示す状態を検出するかもしれない。例えば、ハンドオーバモニタ２６０は、当該期間内の移行イベントの回数が所定の閾値を超えるか判断するかもしれない。
【００２０】
頻繁なハンドオーバを回避するため、コンフィギュレーション調整手段２７０は、送信電力、ローミングヒステリシス、受信感度及び／又はクリアチャネル評価などの加入者ステーション２１０の１以上のコンフィギュレーションを調整する。一例では、コンフィギュレーション調整手段２７０は、加入者ステーション２１０の頻繁なハンドオーバを示す状態を検出することに応答して、加入者ステーション２１０のローミングヒステリシスを調整するかもしれない。特に、コンフィギュレーション調整手段２７０は、加入者ステーション２１０と通信中のＡＰ（ＡＰ２２０など）から送信される信号と、加入者ステーション２１０に無線通信サービスを提供するローミング候補ＡＰ（ＡＰ２２２など）から送信される信号との間の信号強度の相違を決定するかもしれない。例えば、コンフィギュレーション調整手段２７０は、ローミングヒステリシス閾値を増加させることによって、加入者ステーション２１０のローミングヒステリシスを増加させるかもしれない。この結果、加入者ステーション２１０は、１つのＡＰから他のＡＰへの移行前に、加入者ステーション２１０により受信される信号の信号強度のより大きな相違を要求するかもしれない。さらに、コンフィギュレーション調整手段２７０はまた、後述されるようなＡＰ２２０及び／又はＡＰコントローラ２３０からのコンフィギュレーション情報に基づき１以上のコンフィギュレーションを調整するかもしれない。
【００２１】
リクエスト生成手段２８０は、加入者ステーション２１０の移行イベントに係る移行イベント情報を含むローミング管理リクエストを生成するかもしれない。例えば、移行イベント情報は、移行識別情報、移行タイムスタンプ情報、移行理由情報、ターゲット識別情報、ソース識別情報、受信信号強度インジケータ（ＲＳＳＩ）情報、受信信号対ノイズインジケータ（ＲＳＮＩ）情報、送信電力情報、ローミングヒステリシス情報、受信感度情報又は加入者ステーション２１０の各移行イベントに係るクリアチャネル評価（ＣＣＡ）情報を含むかもしれない。
【００２２】
一般に、移行識別情報は、各移行イベントを特定するかもしれない。移行タイムスタンプ情報は、各移行イベントがいつ発生したか示すかもしれない（日時など）。移行理由情報は、各移行イベントがなぜ発生したか示すかもしれない。ターゲット識別情報とソース識別情報とは、各移行イベントのターゲットＡＰとソースＡＰとを示すかもしれない（ターゲットＡＰとソースＡＰのＢＳＳＩＤなど）。ＲＳＳＩ情報は、各移行イベントについて加入者ステーション２１０におけるターゲットＡＰからの受信信号強度を示すかもしれない。ＲＳＮＩ情報は、各移行イベントについて加入者ステーション２１０におけるソースＡＰからの受信信号対ノイズ比を示すかもしれない。
【００２３】
送信電力情報は、各移行イベントについてターゲットＡＰとソースＡＰに加入者ステーション２１０から送信された信号に係る送信電力を示すかもしれない。ローミングヒステリシス情報は、各移行イベントについてターゲットＡＰから送信される信号とソースＡＰから送信される信号との間の信号強度の相違を示すかもしれない。受信感度情報は、各移行イベントについてターゲットＡＰとソースＡＰのそれぞれから加入者ステーション２１０により受信される信号に係る受信電力を示すかもしれない。ＣＣＡ情報は、各移行イベントについてターゲットＡＰとソースＡＰのそれぞれに係るＣＣＡを示すかもしれない。ＣＣＡ閾値は、チャネルに係る干渉及び／又はノイズからなるかもしれない。あるチャネルが利用可能か判断するため、加入者ステーション２１０は、当該チャネルを介し信号に係る受信電力がＣＣＡ閾値未満であるか判断するかもしれない。受信電力がＣＣＡ閾値未満である場合、当該チャネルは加入者ステーション２１０が使用するのに利用可能であるかもしれない。
【００２４】
一例では、リクエスト生成手段２８０は、コンフィギュレーション調整手段２７０が加入者ステーション２１０のローミングヒステリシスを調整した後、ローミング管理リクエストを生成するが、ハンドオーバモニタ２６０は依然として加入者ステーション２１０の頻繁なハンドオーバを示す状態を検出するかもしれない。このため、ＮＩＤ２４０は、ローミング管理リクエストをＡＰ２２０に送信するかもしれない。移行イベント情報に基づき、ＡＰ２２０は、ＡＰ２２０の１以上のコンフィギュレーションを調整するかもしれない。一例では、ＡＰ２２０は、ＡＰ２２０のローミングヒステリシスを調整するかもしれない。ＡＰ２２０は、移行イベント情報をＡＰコントローラ２３０に転送するかもしれない。特に、ＡＰ２２０は、移行イベント情報を含む頻繁なハンドオーバの回避リクエストを生成するかもしれない。移行イベント情報に基づき、ＡＰコントローラ２３０は、加入者ステーション２１０と通信中のＡＰ（ＡＰ２２０など）及び／又は加入者ステーション２１０と通信中のＡＰの１以上の近傍のＡＰ（ＡＰ２２２及び／又は２２４など）の１以上のコンフィギュレーションを調整するかもしれない。例えば、ＡＰコントローラ２３０は、ＡＰ２２０，２２２及び／又は２２４の送信電力、ローミングヒステリシス、受信感度及び／又はクリアチャネル評価を調整するかもしれない。
【００２５】
さらに又はあるいは、ＡＰコントローラ２３０は、加入者ステーション２１０にある期間内に移行イベントの回数を低減する推奨を提供するかもしれない。ＡＰコントローラ２３０は、送信電力、ローミングヒステリシス、受信感度、クリアチャネル評価又はローミングノード候補などの加入者ステーション２１０の１以上のコンフィギュレーションを調整するため、コンフィギュレーション情報を生成する。一例では、ＡＰコントローラ２３０は、コンフィギュレーション情報を含む頻繁なハンドオーバの回避レスポンスを生成し、ＡＰ２２０に送信する。次に、ＡＰ２２０は、コンフィギュレーション情報を含むローミング管理レスポンスを生成し、加入者ステーション２１０に送信する。コンフィギュレーション情報に基づき、コンフィギュレーション調整手段２７０は、ある期間内における移行イベントの回数を低減するため、加入者ステーション２１０の１以上のコンフィギュレーションを調整するかもしれない。
【００２６】
図２に示されるコンポーネントが加入者ステーション２１０内の個別のブロックとして示されているが、これらのブロックのいくつかにより実行される機能は、単一の半導体回路内に統合されるか、又は２以上の個別の集積回路を用いて実現されてもよい。一例では、受信機２４２と送信機２４４はＮＩＤ２４０内の個別のブロックとして示されるが、受信機２４２は送信機２４４に統合されてもよい（送受信機など）。他の例では、イベントレコーダ２５０、ハンドオーバモニタ２６０、コンフィギュレーション調整手段２７０及び／又はリクエスト生成手段２８０は、単一のコンポーネントに統合されてもよい。さらに、加入者ステーション２１０内のブロックのいくつかは、ネットワークインタフェースカード（ＮＩＣ）（図示せず）に統合されてもよい。例えば、ＮＩＤ２４０、イベントレコーダ２５０、ハンドオーバモニタ２６０、コンフィギュレーション調整手段２７０及び／又はリクエスト生成手段２８０は、ＮＩＣに統合されてもよい。
【００２７】
アクセスポイント２２０，２２２，２２４は、同一の又は異なる無線通信ネットワークに関連付けされてもよい。以下で詳細に説明されるように、加入者ステーション２１０は、２以上の無線通信ネットワークに同時に接続されるかもしれない。図２は、１以上のベーシックサービスセット（ＢＳＳ）ネットワークを示しているが、ここに記載される方法及び装置は、独立ベーシックサービスセット（ＩＢＳＳ）ネットワークなどの他の適切なネットワークに容易に適用可能である。さらに、上記具体例はＷＬＡＮに係るＡＰ及びＡＰコントローラに関して説明されたが、ここに記載される方法及び装置は、ＷＭＡＮ、ＷＷＡＮ及び／又は加入者ステーションに関する無線メッシュネットワークに係る基地局（ＢＳ）及びＢＳコントローラに容易に適用可能である。ここに記載される方法及び装置は、これに限定されるものでない。
【００２８】
一般に、ＡＰ間の加入者ステーション２１０の頻繁なハンドオーバは、加入者ステーション２１０が１つのＡＰから他のＡＰに移行又はローミングするための再関連付け及びキー再生成のため、ネットワークロードを増大させるかもしれない。さらに、加入者ステーション２１０の頻繁なハンドオーバは、中断を生じさせ、ＱｏＳ（Ｑｕａｌｉｔｙ  ｏｆ  Ｓｅｒｖｉｃｅ）を低下させ、並びに／又はデータ、音声及び／若しくはビデオストリームにおいてジッタを増大させるかもしれない。
【００２９】
図３の例では、ハンドオーバ制御システム３００は、加入者ステーション（図２の加入者ステーション２１０など）とＡＰ（図２のＡＰ２２０など）とを有するかもしれない。ハンドオーバ制御システム３００はまた、ＡＰコントローラ（図２のＡＰコントローラ２３０など）を有するかもしれない。あるいは、ＡＰコントローラ２３０はＡＰ２２０に統合されるか、又はハンドオーバ制御システム３００はＡＰコントローラ２３０を有しないかもしれない。
【００３０】
ハンドオーバ制御システム３００を示すため、加入者ステーション２１０は、加入者ステーション２１０の移行イベントに係る情報を記録し、頻繁なハンドオーバを示す状態をモニタするかもしれない。特に、加入者ステーション２１０は、ある期間内における移行イベントの回数が所定の閾値を超えたか判断する。一例では、１分間に５回の移行イベントが、頻繁なハンドオーバを示すかもしれない。
【００３１】
加入者ステーション２１０が、頻繁なハンドオーバを示す状態を検出した場合、加入者ステーション２１０は、他のＡＰ（図２のＡＰ２２２又は２２４など）にスイッチする代わりに、ＡＰ２２０との通信を継続するためローミングヒステリシスを増大させるかもしれない。上述されるように、ローミングヒステリシスは、加入者ステーション２１０と通信中のＡＰ（ＡＰ２２０など）から送信される信号と、他のＡＰ（ＡＰ２２２など）から送信される信号との間の信号強度の差を示すかもしれない。ローミングヒステリシスを増大させることによって、例えば、加入者ステーション２１０は、加入者ステーション２１０がＡＰ２２０からＡＰ２２２にスイッチする前にＡＰ２２０からの信号とＡＰ２２２からの信号との間の信号強度がより大きくなるに従って、頻繁なハンドオーバを低減するかもしれない。
【００３２】
しかしながら、加入者ステーション２１０が依然としてローミングヒステリシスを増大させた後に頻繁なハンドオーバを示す状態を検出した場合、加入者ステーション２１０は、移行イベント情報をＡＰ２２０に転送するかもしれない。一例では、加入者ステーション２１０は、移行イベント情報を含むローミング管理リクエストを生成し、ローミング管理リクエストをＡＰ２２０に送信する（３１０）。次に、ＡＰ２２０は、移行イベント情報をＡＰコントローラ２３０に転送するため、頻繁なハンドオーバの回避リクエストを生成する（３２０）。
【００３３】
移行イベント情報に基づき、ＡＰコントローラ２３０は、ＡＰ２２０の近傍の１以上のＡＰ（図２のＡＰ２２２及び／又は２２４など）のコンフィギュレーションを調整する。ＡＰコントローラ２３０はまた、ＡＰ２２０に係るローミングヒステリシスを調整する。さらに、ＡＰコントローラ２３０は、頻繁なハンドオーバを回避する推奨を加入者ステーション２１０に提供する。特に、ＡＰコントローラ２３０は、頻繁なハンドオーバの回避レスポンスを生成し、ＡＰ２２０に送信する（３３０）。頻繁なハンドオーバの回避レスポンスは、コンフィギュレーション情報を含むかもしれない。特に、コンフィギュレーション情報は、ＡＰコントローラ２３０が加入者ステーション２１０に示唆する送信電力設定、受信感度及び／又はＣＣＡ閾値に係る情報を含むかもしれない。コンフィギュレーション情報はまた、ＡＰコントローラ２３０が加入者ステーション２１０に無線通信サービスのためローミング及び接続するよう示唆する１以上の候補に係る情報を含むかもしれない。
【００３４】
従って、ＡＰ２２０は、ＡＰコントローラ２３０からの頻繁なハンドオーバの回避レスポンスに基づき、ローミング管理レスポンスを生成する（３４０）。上述されるようなコンフィギュレーション情報と候補情報とに加えて、ＡＰ２２０はまた、ローミング管理レスポンスにローミングヒステリシスに係る情報を含むかもしれない。すなわち、ＡＰ２２０は、ローミングヒステリシスを調整するよう加入者ステーション２１０に推奨するかもしれない。ＡＰ２２０からのローミング管理レスポンスに基づき、加入者ステーション２１０は、１以上のコンフィギュレーションを調整し、及び／又は他のＡＰ（ＡＰ２２２又は２２４など）にスイッチするかもしれない。ここに記載される方法及び装置は、これに限定されるものでない。
【００３５】
図４〜６は、図３のハンドオーバ制御システム３００が頻繁なハンドオーバを検出及び軽減するよう構成される一方法を示す。図４〜６の具体的なプロセス４００，５００，６００はそれぞれ、揮発性若しくは不揮発性メモリ若しくは他の大容量記憶装置（フロッピー（登録商標）ディスク、ＣＤ、ＤＶＤなど）などのマシーンアクセス可能な媒体の何れかの組み合わせに格納される多数の異なるプログラミングコードの何れかを使用するマシーンアクセス可能な命令として実現されるかもしれない。例えば、マシーンアクセス可能な命令は、プログラマブルゲートアレイ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、磁気媒体、光媒体及び／又は他の何れか適切なタイプの媒体などのマシーンアクセス可能な媒体により実現されるかもしれない。
【００３６】
さらに、図４〜６のそれぞれに特定の順序のアクションが示されているが、これらのアクションは他の時間系列により実行可能である（例えば、同時など）。再び、一例となるプロセス４００，５００，６００は、ハンドオーバ制御システムを提供するための具体例として図２の無線通信ネットワークに関して提供及び説明される。
【００３７】
図４の例では、プロセス４００は、加入者ステーション２１０が１以上の移行イベントに係る情報を記録する（図２のイベントレコーダ２５０などを介し）ことにより開始される（ブロック４１０）。イベントレコーダ２５０は、移行イベントに係る情報（統計量など）をメモリ２８５に格納する。
【００３８】
上述されるように、加入者ステーション２１０は、各移行イベント期間中に２つのＡＰの間で移行する（１つのＡＰから他のＡＰへの加入者ステーション２１０のハンドオーバなど）。ネットワークロードを低減し、ＱｏＳを向上させるため、加入者ステーション２１０は頻繁なハンドオーバを示す状態をモニタする。特に、加入者ステーション２１０は、（図２のハンドオーバモニタ２６０などを介し）ある期間内における移行イベントの回数をモニタし、移行イベントの回数が所定のハンドオーバ閾値を超えているか判断する（ブロック４２０）。
【００３９】
移行イベントの回数が所定のハンドオーバ閾値を超えていない場合、ブロック４１０に戻り、移行イベントに係る情報の記録を継続する。そうでない場合、移行イベントの回数がブロック４２０において所定のハンドオーバ閾値を超えている場合、加入者ステーション２１０は、（図２のコンフィギュレーション調整手段２７０などを介し）加入者ステーション２１０のローミングヒステリシスを調整すべきか判断する（ブロック４３０）。
【００４０】
加入者ステーション２１０がローミングヒステリシスを以前に調整しなかった場合、加入者ステーション２１０は、（コンフィギュレーション調整手段２７０などを介し）ローミングヒステリシス閾値を増大させるかもしれない（ブロック４４０）。これにより、ブロック４１０に戻り、移行イベントに係る情報を記録する。
【００４１】
ブロック４３０を参照するに、加入者ステーション２１０が以前にローミングヒステリシスを調整していた場合、加入者ステーション２１０は、図２のリクエスト生成手段２８０などを介し）ローミング管理リクエストを生成する（ブロック４５０）。ローミング管理リクエストは、移行イベント情報を含むかもしれない。上述されるように、移行イベント情報は、加入者ステーション２１０の各移行イベントに係る移行識別情報、移行タイムスタンプ情報、移行理由情報、ターゲット識別情報、ソース識別情報、ＲＳＳＩ情報、ＲＳＮＩ情報、送信電力情報、ローミングヒステリシス情報、受信感度情報又はＣＣＡ情報を含むかもしれない。
【００４２】
加入者ステーション２１０は、図２のＮＩＤ２４０などを介し）ローミング管理リクエストをＡＰ２２０に送信するかもしれない。なぜなら、ＡＰ２２０が加入者ステーション２１０と通信し各サービスを提供するためである（ブロック４６０）。加入者ステーション２１０は、ＡＰ２２０からのローミング管理レスポンスをモニタする（ブロック４７０）。図５に関して以下で詳細に説明されるように、ＡＰ２２０は、加入者ステーション２１０からのローミング管理リクエストに基づきローミング管理レスポンスを生成する。
【００４３】
図５に戻って、例えば、プロセス５００は、ＡＰ２２０が加入者ステーション２１０からローミング管理リクエストを受信することにより開始される（ブロック５１０）。上述されるように、ローミング管理リクエストは、移行イベント情報を含むかもしれない。移行イベント情報に基づき、ＡＰ２２０は、頻繁なハンドオーバの回避リクエストを生成する（ブロック５２０）。特に、頻繁なハンドオーバの回避リクエストは、加入者ステーション２１０からの移行イベント情報を含むかもしれない。頻繁なハンドオーバの回避リクエストはまた、ＡＰ２２０の送信電力、受信感度及び／又はＣＣＡなど、ＡＰ２２０に係る情報を含むかもしれない。ＡＰ２２０は、頻繁なハンドオーバの回避リクエストをＡＰコントローラ２３０に送信する（ブロック５３０）。図６に関して以下で詳細に説明されるように、ＡＰコントローラ２３０は、ＡＰ２２０からの頻繁なハンドオーバの回避リクエストに基づき、頻繁なハンドオーバの回避レスポンスを生成する。
【００４４】
図６の例では、プロセス６００は、ＡＰコントローラ２３０がＡＰ２２０から頻繁なハンドオーバの回避リクエストを受信することにより開始される（ブロック６１０）。上述されるように、頻繁なハンドオーバの回避リクエストは、加入者ステーション２１０からの移行イベント情報及び／又はＡＰ２２０からの他の適切な情報を含むかもしれない。移行イベント情報に基づき、ＡＰコントローラ２３０は、ＡＰ２２０，２２２及び／又は２２４などの１以上のＡＰのコンフィギュレーションを調整する（ブロック６２０）。一例では、ＡＰコントローラ２３０は、送信電力、受信感度及び／又はＣＣＡなどのＡＰ２２０の１以上の近傍のＡＰ（ＡＰ２２２及び／又は２２４など）のコンフィギュレーションを調整する。
【００４５】
ＡＰコントローラ２３０はまた、頻繁なハンドオーバを低減するため、加入者ステーション２１０の１以上のコンフィギュレーションを調整する推奨を提供する。さらに又はあるいは、ＡＰコントローラ２３０は、加入者ステーション２１０が頻繁なハンドオーバを回避できるように、加入者ステーション２１０がスイッチするローミング候補ＡＰを推奨する。特に、ＡＰコントローラ２３０は、頻繁なハンドオーバの回避レスポンスを生成する（ブロック６３０）。例えば、頻繁なハンドオーバの回避レスポンスは、送信電力情報、受信感度情報及び／又はＣＣＡ情報などのコンフィギュレーション情報を含むかもしれない。コンフィギュレーション情報は、無線通信サービスのため加入者ステーション２１０が移行可能なローミング候補ＡＰを示すかもしれない。ＡＰコントローラ２３０は、頻繁なハンドオーバの回避レスポンスをＡＰ２２０に送信する（ブロック６４０）。
【００４６】
上記具体例はＡＰコントローラに関して説明されたが、プロセス６００に関して説明される機能は、ＡＰ２２０などのＡＰにより実行される。さらに、上記具体例がＷＬＡＮに関して説明されるが、ここに記載される方法及び装置は、複数の加入者ステーションを有する無線メッシュネットワークなどの他の適切な無線通信ネットワークにより実現可能である。特に、プロセス６００に関して説明される機能は、複数の加入者ステーションの１以上により実行される。ここに記載される方法及び装置は、これに限定されるものでない。
【００４７】
図５に戻って、ＡＰ２２０は、ＡＰコントローラ２３０から頻繁なハンドオーバの回避レスポンスを受信する（ブロック５４０）。上述されるように、頻繁なハンドオーバの回避レスポンスは、加入者ステーション２１０及び／又はＡＰ２２０のコンフィギュレーション情報を含むかもしれない。頻繁なハンドオーバの回避レスポンスに基づき、ＡＰ２２０は、ローミング管理レスポンスを生成する（ブロック５５０）。一例では、ローミング管理レスポンスは、加入者ステーション２１０のコンフィギュレーション情報を含む。ＡＰ２２０は、ローミング管理レスポンスを加入者ステーション２１０に送信する（ブロック５６０）。ここに記載される方法及び装置は、これに限定されるものでない。
【００４８】
図４のブロック４７０を参照するに、加入者ステーション２１０がＡＰ２２０からローミング管理レスポンスを受信していない場合、ローミング管理レスポンスのモニタリングが継続される。そうでなく加入者ステーション２１０がローミング管理レスポンスを受信している場合、加入者ステーション２１０は、コンフィギュレーション調整手段２７０などを介し）ローミング管理レスポンスに基づき加入者ステーション２１０の１以上のコンフィギュレーションを調整する（ブロック４８０）。上述されるように、ローミング管理レスポンスは、加入者ステーション２１０のコンフィギュレーション情報を含むかもしれない。一例では、加入者ステーション２１０は、送信電力、ローミングヒステリシス、受信感度及び／又はＣＣＡを調整する。コンフィギュレーション情報はまた、ローミング候補に係る情報を含むかもしれない。この結果、加入者ステーション２１０は、ハンドオーバの頻度を低減する。ここに記載される方法及び装置は、これに限定されるものでない。
【００４９】
上記具体例はＡＰコントローラに関して説明されたが、ここに記載される方法及び装置は、ＡＰ内に統合されるＡＰコントローラの有無に関係なく実現可能である。再び図２，３を参照するに、ＡＰ２２０は、上述されるように、加入者ステーション２１０から移行イベント情報を受信する。移行イベント情報をＡＰコントローラ（図３の３２０など）に転送する代わりに、ＡＰ２２０は、ＡＰ２２０及び／又は加入者ステーション２１０に係る１以上のコンフィギュレーションを調整する。一例では、ＡＰ２２０は、ＡＰ２２０のカバーエリアを拡張し、及び／又はカバーエリアの１以上の相対的に弱い部分をカバーするため、ＡＰ２２０の送信電力を増大させる。ＡＰ２２０はまた、加入者ステーション２１０が他のＡＰ（図２のＡＰ２３０又は２４０など）にスイッチする代わりにＡＰ２２０に留まるように、加入者ステーション２１０のローミングヒステリシスを増大させる。ＡＰ２２０はまた、加入者ステーション２１０に係る１以上のコンフィギュレーションを調整する推奨を提供するかもしれない。例えば、ＡＰ２２０は、加入者ステーション２１０に係る送信電力、受信感度及び／又はＣＣＡを調整する推奨を提供する。
【００５０】
さらに、上記具体例はＷＬＡＮに関して説明されたが、ここに記載される方法及び装置は、ＷＰＡＮ、ＷＭＡＮ、ＷＷＡＮ及び／又は無線メッシュネットワークなどの他の適切なタイプの無線通信ネットワークにより実現可能である。
【００５１】
図７は、ここに記載される方法及び装置を実現するよう構成される一例となるプロセッサシステム２０００のブロック図である。プロセッサシステム２０００は、デスクトップコンピュータ、ラップトップコンピュータ、携帯コンピュータ、タブレットコンピュータ、携帯情報端末（ＰＤＡ）、サーバ、インターネットアプライアンス及び／又は他の何れかのタイプの計算装置であるかもしれない。
【００５２】
図７に示されるプロセッサシステム２０００は、メモリコントローラ２０１２と入出力（Ｉ／Ｏ）コントローラ２０１４を含むチップセット２０１０を含む。チップセット２０１０は、メモリ及びＩ／Ｏ管理機能と共に、プロセッサ２０２０によりアクセス可能又は使用される複数の汎用及び／又は特定用途レジスタ、タイマーなどを提供するかもしれない。プロセッサ２０２０は、１以上のプロセッサ、ＷＰＡＮコンポーネント、ＷＬＡＮコンポーネント、ＷＭＡＮコンポーネント、ＷＷＡＮコンポーネント及び／又は他の適切な処理コンポーネントを用いて実現される。例えば、プロセッサ２０２０は、Ｉｎｔｅｌ（登録商標）ＣｏｒｅＴＭ技術、Ｉｎｔｅｌ（登録商標）Ｐｅｎｔｉｕｍ（登録商標）技術、Ｉｎｔｅｌ（登録商標）Ｉｔａｎｉｕｍ（登録商標）技術、Ｉｎｔｅｌ（登録商標）ＣｅｎｔｒｉｎｏＴＭ技術及び／又はＩｎｔｅｌ（登録商標）ＸｅｏｎＴＭ技術の１以上を用いて実現可能である。他の例では、プロセッサ２０２０を実現するため他の処理技術が利用可能である。プロセッサ２０２０は、第１レベル統合キャッシュ（Ｌ１）、第２レベル統合キャッシュ（Ｌ２）、第３レベル統合キャッシュ（Ｌ３）及び／又は他の何れか適切なデータを格納する構成を用いて実現するのに利用可能である。
【００５３】
メモリコントローラ２０１２は、プロセッサ２０２０が揮発性メモリ２０３２及び不揮発性メモリ２０３４を含むメインメモリ２０３０をバス２０４０を介しアクセス及び通信することを可能にする機能を実行する。揮発性メモリ２０３２は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＲＤＲＡＭ（ＲＡＭＢＵＳ  ＤＲＡＭ）、ＳＲＡＭ（Ｓｔａｔｉｃ  ＲＡＭ）及び／又は他の何れかのタイプのランダムアクセスメモリ装置により実現可能である。不揮発性メモリ２０３４は、フラッシュメモリ、ＲＯＭ、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）及び／又は他の何れか所望のタイプのメモリ装置により実現可能である。
【００５４】
プロセッサシステム２０００はまた、バス２０４０に接続されるインタフェース回路２０５０を含む。インタフェース回路２０５０は、イーサネット（登録商標）インタフェース、ＵＳＢ（Ｕｎｉｖｅｒｓａｌ  Ｓｅｒｉａｌ  Ｂｕｓ）、３ＧＩＯ（Ｔｈｉｒｄ  Ｇｅｎｅｒａｔｉｏｎ  Ｉｎｐｕｔ／Ｏｕｔｐｕｔ）インタフェース及び／又は他の何れか適切なタイプのインタフェースなどの何れかのタイプのインタフェース規格を用いて実現可能である。
【００５５】
１以上の入力装置２０６０が、インタフェース回路２０５０に接続される。入力装置２０６０は、個人がデータ及びコマンドをプロセッサ２０２０に入力することを可能にする。例えば、入力装置２０６０は、キーボード、マウス、タッチ反応ディスプレイ、トラックパッド、トラックボール、イソポイント及び／又は音声認識システムにより実現可能である。
【００５６】
１以上の出力装置２０７０がまた、インタフェース回路２０５０に接続される。例えば、出力装置２０７０は、表示装置（例えば、ＬＥＤ（Ｌｉｇｈｔ  Ｅｍｉｔｔｉｎｇ  Ｄｉｓｐｌａｙ）、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）ディスプレイ、プリンタ及び／又はスピーカーなど）により実現可能である。インタフェース回路２０５０は、特にグラフィックドライバカードを含むかもしれない。
【００５７】
プロセッサシステム２０００はまた、ソフトウェア及びデータを格納する１以上の大容量記憶装置２０８０を有する。このような大容量記憶装置２０８０の具体例として、フロッピー（登録商標）ディスク及びドライブ、ハードディスクドライブ、コンパクトディスク及びドライブ、並びにＤＶＤ（Ｄｉｇｉｔａｌ  Ｖｅｒｓａｔｉｌｅ  Ｄｉｓｋ）及びドライブなどがあげられる。
【００５８】
インタフェース回路２０５０はまた、ネットワークを介し外部コンピュータとのデータのやりとりを実現するためのモデムやネットワークインタフェースカードなどの通信装置を含むかもしれない。プロセッサシステム２０００とネットワークとの間の通信リンクは、イーサネット（登録商標）接続、デジタル加入者線（ＤＳＬ）、電話線、携帯電話システム、同軸ケーブルなどの何れかのタイプのネットワーク接続であるかもしれない。
【００５９】
入力装置２０６０、出力装置２０７０、大容量記憶装置２０８０及び／又はネットワークへのアクセスは、Ｉ／Ｏコントローラ２０１４により制御される。特に、Ｉ／Ｏコントローラ２０１４は、プロセッサ２０２０が入力装置２０６０、出力装置２０７０、大容量記憶装置２０８０及び／又はネットワークとバス２０４０及びインタフェース回路２０５０を介し通信することを可能にする機能を実行する。
【００６０】
図７に示されるコンポーネントは、プロセッサシステム２０００内の個別のブロックとして示されているが、これらのブロックのいくつかにより実行される機能は、単一の半導体回路内に統合されるか、又は２以上の個別の集積回路を用いて実現されるかもしれない。例えば、メモリコントローラ２０１２及びＩ／Ｏコントローラ２０１４がチップセット内の個別のブロックとして示されるが、メモリコントローラ２０１２とＩ／Ｏコントローラ２０１４は、単一の半導体回路内に統合されるかもしれない。
【００６１】
特定の例による方法、装置及び製造物が説明されたが、本開示のカバー範囲はそれに限定されるものでない。本開示は、添付した請求項の範囲内に属するすべての方法、装置及び製造物を文言的又は均等論の下でカバーする。例えば、上記開示が特にハードウェア上で実行されるソフトウェア又はファームウェアを含むシステムを開示するが、このようなシステムは、単なる例示であり、限定的に解釈されるべきでないことに留意されたい。特に、開示されるハードウェア、ソフトウェア及び／又はファームウェアコンポーネントの何れか又はすべてが、ハードウェア単独、ソフトウェア単独、ファームウェア単独又はハードウェア、ソフトウェア及び／又はファームウェアの組み合わせにより実現可能であることが想定される。
【図１】
2009545271.tif 000003
【図２】
2009545271.tif 000004
【図３】
2009545271.tif 000005
【図４】
2009545271.tif 000006
【図５】
2009545271.tif 000007
【図６】
2009545271.tif 000008
【図７】
2009545271.tif 000009
【国際調査報告】
2009545271.tif 000010
2009545271.tif 000011